(57)【特許請求の範囲】
【請求項１】
透明部材または半透明部材で形成された、多角形、円形、楕円の何れかの形状を有する導光板に、中心で一致する複数の区画を設け、前記複数の区画のそれぞれの外端部の中央には光源取付部を設けると共に、それぞれの前記区画の背面には前記光源取付部に取付けられた光源からの光を区画の表面側に向けて略直角方向に反射する反射カットが密接して設けられており、該反射カットは、前記光源からの光を曲線として前記区画の表面側に向けて反射するように、前記光源から出射されて前記導光板内において適宜の拡がり角で拡がる放射状の光線のそれぞれに対して、直交するように形成されていることを特徴とする照明装置。
【請求項２】
前記各区画に取付けられる前記光源取付部は、前記導光板の中心に対して同一方向に所定角度傾けられると共に、適宜の拡がり角が光源からの光の進行方向に向かい設けられていることを特徴とする請求項１記載の照明装置。
【請求項３】
それぞれの前記区画に設けられる前記光源取付部は、前記反射カットの全体に光が達するように、前記導光板に対して適宜な厚みが設定されていると共に、前記導光板と一体に形成されていることを特徴とする請求項１または請求項２記載の照明装置。
【請求項４】
前記光源は、点光源に近い特性を有する電球またはＬＥＤであることを特徴とする請求項１〜請求項３記載の照明装置。
【発明の詳細な説明】
【技術分野】
【０００１】
本発明は、家庭用などの一般用照明器具、遊技機器などにおける照明器具、あるいは、車両用の照明器具などとして使用可能な照明器具に関するものであり、詳細には、人間の移動に伴い、電球カバー（レンズ）において光る場所が移動するように見えるようにした装飾性に優れる照明装置の構成に係るものである。
【背景技術】
【０００２】
従来の、点灯時における灯具９０の見栄えに変化を与えようとする構成の例を示すものが、図９であり、通常には、電球からの光を回転放物面などとした反射鏡で反射させて平行光線として集束し、この灯具の照射方向に向かわせるものとし、反射鏡の反射方向に設けられたレンズに魚眼レンズカットを設けておき、光を適宜に拡散させて配光特性を得るものとされている。
【０００３】
しかしながら、このような構成では、レンズの表面に魚眼レンズカットによる矩形あるいは六角形の升目模様が強く表れるものとなり、高級車、大衆車何れの灯具においても、それ程に変わり映えを生じないものとなる。そこで、この図９に示す従来例においては電球９２からの光を反射する反射鏡９３に縦方向の凹凸９３ａを設け、反射光を予めに水平方向に拡げておく。
【０００４】
そして、レンズ９４には水平方向には凸シリンドリカルレンズと凹シリンドリカルレンズにより波形の凹凸９４ａを設け、例えば、従来の魚眼レンズのように各レンズ間の接続線が現れないようにして、旧来のものとの見栄えを変え、観者に目新しい印象を与えると共に、他車との識別性を向上させるものとしている。
【特許文献１】特開２０００−０４９６１９号公報
【発明の開示】
【発明が解決しようとする課題】
【０００５】
しかしながら、前記に説明した従来の灯具９０は、確かに、旧来のものと比較して、見栄えとしては変化しているが、逆にレンズ９４面が平面化されたことで、装飾性に欠けるものとなり、旧来のものと比較して、格段に新規な印象を与えるものとは、言えないものでるという課題を生じるものであった。
【課題を解決するための手段】
【０００６】
本発明は、上記した従来の課題を解決するための具体的な手段として、透明部材または半透明部材で形成された、多角形、円形、楕円の何れかの形状を有する導光板に、中心で一致する複数の区画を設け、前記複数の区画のそれぞれの外端部の中央には光源取付部を設けると共に、それぞれの前記区画の背面には前記光源取付部に取付けられた光源からの光を区画の表面側に向けて略直角方向に反射する反射カットが密接して設けられており、該反射カットは、前記光源からの光を曲線として前記区画の表面側に向けて反射するように、前記光源から出射されて前記導光板内において適宜の拡がり角で拡がる放射状の光線のそれぞれに対して、直交するように形成されていることを特徴とする照明装置を提供することで課題を解決するものである。
【発明の効果】
【０００７】
本発明により、視線の方向によりレンズ面における発光位置が移動するものとしたことで、例えば、先行車が曲路を曲がるときなどには、テールランプの発光している場所が追従車に向かっている部分のみが光っているように移動して見えるなど、まったくに新しい見え方をする灯具となり、また、発光している場所が移動することで注目度も高まり、機能性も向上するという効果も奏するものとなる。
【発明を実施するための最良の形態】
【０００８】
つぎに、本発明を図に示す実施形態に基づいて詳細に説明する。図１に符号１で示すものは、本発明に係る照明装置の第一実施例であり、この照明装置１は全体形状がほぼ円形とされた導光板２と、この導光板２と一体化して形成された光源取付部３と、前記照明装置１自体を天井、壁などに取付けるための、例えば一対の取付脚４とから構成されている。
【０００９】
図２は、前記照明装置１の平面図であり、前記したようにほぼ円形とされた導光板２の周囲には、この第一実施例の場合には、前記導光板２の外周に対して６０°の等間隔で合計６箇所に前記光源取付部３が設けられている。但し、本発明においては、前記光源取付部３の数を６箇所に限定するものではなく、また、等間隔であることを限定するものでもなく、デザイン上の要望などに応じて変更するなどは自在である。
【００１０】
図３は、背面図であり、即ち、図２を裏返して看視するときの図である。ここで、図でも明らかなように、前記導光板２には、区画２１〜２６の６箇所の区画が形成されていて、それぞれの区画の外周の中心には、前記導光板２全体の中心に向かう光源取付部３が取付けられ、この光源取付部３には、例えば、ＬＥＤなどとした光源５が取付けられている。以下、前記光源５と導光板２の中心とを結ぶ線を光軸Ｄと称する。
【００１１】
そして、前記区画２１〜２６のそれぞれには、前記光軸Ｄと直交する方向とした反射カット６が、例えば１．５mmとしたピッチで、区画２１〜２６の裏面２ａの全面に渡り設けられている。なお、前記反射カット６の詳細については、以下に説明する。
【００１２】
図４は図３のＡ−Ａ線に沿う断面図であり、前記導光板２の両端には前記光源取付部３が一体に形成されており、これら光源取付部３には、例えばＬＥＤ、電球などとした光源５が取付けられて、前記光源取付部３を介してそれぞれの前記区画２１〜２６中に光を導入させる。
【００１３】
このときに、前記光源取付部３と前記導光板２とは、両者が形成されたアクリル樹脂、ポリカーボネート樹脂などの大気よりも高い屈折率を利用し、前記光源取付部３に取付けられた光源５からの光が、前記反射カット６に達したもの以外は外部に放射されることのないようにされている。
【００１４】
よって、光源５から放出された光は、前記導光板２の板厚内を中心に向かって進行するものとなるが、前記導光板２の裏面２ａに反射カット６が設けられていることで、この反射カット６に達したものは、この反射カット６で反射し、前記導光板２の表面２ｂから外部に放出されるものとなる。
【００１５】
ここで、前記反射カット６について説明を行うと、上記光源取付部３から入射された光源からの光は、光源５の光軸Ｄに沿い区画２１〜２６の中心に向かい進行するものとなる。このときに、前記反射カット６は、光源５からの光の進行方向に対して４５°の空気層との境界を有する面として形成されているので、この反射カット６に達した光は前記表面２ｂの方向に向けて進行方向が折り曲げられる。
【００１６】
このことは、即ち、前記導光板２の表面２ｂに対して直交するものとなるので、スネルの法則により内面反射が高屈折率部材側で行われる臨界角以下の角度となり、前記２ｂから外部に放射される。このときに、前記照明装置１が天井など観視者から離れた位置に取付けられ、真下から仰ぎ見れば、前記光軸Ｄを中心とする狭い範囲の反射光が見えるものとなり、図５に示すようにアステリスク（＊）状の光が見えるものとなる。
【００１７】
ここで、観視者が何れかの方向に移動すると、前記反射カット６から観視者に達する光も観視者が移動した方向に光を放射している反射カット６からの光が達するものとなるので、上記したアステリスク（＊）状の光芒７が、多少の形状のくずれを生じる場合があるものの観視者を追いかけて移動するように見え、斬新な感覚を受けるものとなる。
【００１８】
なお、上記に説明したように形成された照明装置１自体の特性は、例えば、六個とした各区画２１〜２６内は光源５からの光で満たされているものであり、観視者が観た位置での光軸Ｄに沿う臨界角の範囲内（約８０°）の光が観視者の目に入り帯状に見えるものとなるものであって、実際には各区画２１〜２６の全面から光は放射されているものであり、特に通常の照明装置と変わるところはなく、実用上に問題点を生じることはない。
【００１９】
図６は本発明に係る照明装置１の第二実施例を背面から示す図であり、上記に説明した第一実施例では、光源５からの光は光軸Ｄに平行な状態で、導光板２の中心に向かうものとして、前記反射カット６を前記光軸Ｄに直交する状態として設けていた。従って、光源５を点灯したときに、１つの区画、例えば区画２１において観視者が感じる光の形状は、光軸Ｄに沿う直線状であった。
【００２０】
これに対して、この第二実施例では、光源１５から放射される光は、実質的に光源１５を中心とする放射状に発光が行われているとして、反射カット１６を形成するものであり、この第二実施例では、光源取付部１３を導光板１２に取付けるときに、光軸Ｅを導光板１２の中心Ｃに対して３０°傾けて取付けた。
【００２１】
このときに、光源１５からの光の導光板１２内での拡がり角αは約２０°と設定し、光源取付部１３には光軸Ｅに対して片側１０°の拡がり角を設けて、前記導光板１２に接続した。なお、前記光軸の傾ける角度、光源取付部１３の拡がり角αは、前記導光板１２の外径と整合するようにデザイン的観点から定めても良いものである。
【００２２】
図７は、第二実施例における反射カット１６の形成の状態を示すものであり、図中に符号Ｆで示すものは、拡がり角αが設けられた前記光源取付部１３内を伝播する光線であり、この実施例では一体の部材で形成された導光板内でも同じ拡がり角を有して通過するものとなる。
【００２３】
そして、この第二実施形態では、前記反射カット１６を形成するときには、前記光軸Ｅを中心として放射状に拡がる光線Ｆのそれぞれに対して直交するように反射カット１６を形成していく。このようにすることで、照明装置１を、例えば、真下から見るときには図８に示すように帯状で曲線の光芒１７が見えるものとなり、第一実施例の直線のものとは異なる見栄えの照明装置１が得られるものとなる。また、観視者が移動を行うと光輝している部分が、観視者の移動に伴い動くことも同様である。
【産業上の利用可能性】
【００２４】
以上の説明は、家庭用に照明装置の例で説明したが、本発明はこれを限定するものではなく、例えば見栄えの奇抜さを利用して遊技機などの照明、表示用装置としても新たな使用が考えられるものであり、あるいは、上記にも記載したように観視者が見た方向が光る点から信号用の車両用灯具への応用も考えられる。
【図面の簡単な説明】
【００２５】
【図１】本発明に係る照明装置の第一実施例を示す斜視図である。
【図２】同じく本発明に係る照明装置の第一実施例の平面図である。
【図３】同じく本発明に係る照明装置の第一実施例の背面図である。
【図４】図３のＡ−Ａ線に沿う断面図である。
【図５】本発明に係る照明装置の点灯状態を示す説明図である。
【図６】本発明に係る照明装置の第二実施例を示す背面図である。
【図７】第二実施形態における反射カットを形成するときの状態を示す説明図である。
【図８】第二実施形態における本発明に係る照明装置の点灯状態を示す説明図である。
【図９】従来例の一部を破断した状態で示す斜視図である。
【符号の説明】
【００２６】
１…照明装置
２、１２…導光板
２１〜２６…区画
２ａ…裏面
２ｂ…表面
３、１３…光源取付部
４、１４…取付脚
５、１５…光源
６、１６…反射カット
７、１７…光芒
【図１】
0005193573.tif 000002
【図２】
0005193573.tif 000003
【図３】
0005193573.tif 000004
【図４】
0005193573.tif 000005
【図５】
0005193573.tif 000006
【図６】
0005193573.tif 000007
【図７】
0005193573.tif 000008
【図８】
0005193573.tif 000009
【図９】
0005193573.tif 000010